(57)【要約】【課題】  操作がし易くてブラインドの適用範囲の拡大を図る。【解決手段】  前後をガラス板３によって挟まれた支持枠２内にブラインド本体５を配置し、前側のガラス板を挟んで昇降機構６及び角度調整機構７を操作するための制動体８及び操作体９を備え、支持枠内を上下動可能である制動体８はマグネット２０を設け、ガラス板３の前面を上下動可能である操作体９はマグネットを設け、制動体と操作体とは互いに磁気力により互いに吸引し合って、一体の関係にあり、昇降機構６はブレード５ａを昇降するための第１及び第２の昇降紐１３，１４を設け、角度調整機構７はブレードの角度を調整するための第１及び第２の角度調整紐２６，２７を設け、制動体８及び操作体９は上下動を通じて上記昇降紐及び角度調整紐を制御可能である。【選択図】        図１
2008208547.tif 000002
【特許請求の範囲】
【請求項１】
支持枠、この支持枠内に配置してある複数のブレードで構成されているブラインド本体、上記ブレードの昇降機構、上記ブレードの角度調整機構並びに上記昇降機構及び角度調整機構を操作するための制動体及び操作体を備えており、
上記昇降機構は、上記ブレードを昇降するための昇降紐を設けており、
上記角度調整機構は、上記ブレードの角度を調整するための角度調整紐を設けており、
上記制動体はマグネットを設けており、上記支持枠内を上下動可能であると共に、この上下動を通じて上記昇降紐及び角度調整紐を制御可能であり、
上記操作体はマグネットを設けており、上記支持枠の外側で上下動可能であり、
上記制動体と上記操作体とは互いに磁気力により互いに吸引し合って、一体の関係にある
ことを特徴とするブラインド。
【請求項２】
支持枠はその両側から透明板によって挟持されかつ上記透明板と一体化されていることを特徴とする請求項１記載のブラインド。
【請求項３】
支持枠を挟むように配置されている透明板と、両透明板間にあって上記支持枠の外周を被覆すると共に、上記支持枠内を密閉する封止部材とを備えていることを特徴とする請求項１記載のブラインド。
【請求項４】
支持枠及び透明板をドア内に組み込んであることを特徴とする請求項２又は請求項３記載のブラインド。
【請求項５】
制動体は、上記昇降紐及び角度調整紐の双方の制御を兼用していることを特徴とする請求項１乃至請求項４のいずれかに記載のブラインド。
【請求項６】
制動体及び操作体は一方の透明板の正面の片側に上下動可能に配置されていることを特徴とする請求項２乃至請求項５のいずれかに記載のブラインド。
【請求項７】
制動体は、上記昇降紐を制御するための昇降制動体と角度調整紐を制御するための角度調整制動体とからなり、操作体は上記昇降制動体及び角度調整制動体とそれぞれ対となっている上記昇降操作体及び角度調整操作体とからなることを特徴とする請求項１乃至請求項４のいずれかに記載のブラインド。
【請求項８】
制動体及び操作体は一方の透明板の正面の両側に上下動可能に配置されており、一側の制動体及び操作体が昇降制動体及び昇降操作体であり、他側の制動体及び操作体が角度調整制動体及び角度調整操作体であることを特徴とする請求項７記載のブラインド。
【請求項９】
制動体及び操作体は一方の透明板の正面の片側に上下動可能に配置されており、上下いずれか一側の制動体及び操作体が昇降制動体及び昇降操作体であり、他側の制動体及び操作体が角度調整制動体及び角度調整操作体であることを特徴とする請求項７記載のブラインド。
【請求項１０】
操作体の昇降を案内するためのガイドレールを設けてあることを特徴とする請求項１乃至請求項９のいずれかに記載のブラインド。
【発明の詳細な説明】
【技術分野】
【０００１】
この発明は、外部光の遮断や取入れ、目隠しなどに使用されるブラインドに関するものである。
【背景技術】
【０００２】
部屋の窓側に設置して太陽光を取り入れたり、遮光するための複数のブレードによって構成されているブラインドとして、例えば特開平７−３０５５８０号公報及び特開平８−３０３１５５号公報に記載のブラインド（以下「従来例１」及び「従来例２」という。）が提案されている。
従来例１は、水平に設けられた上部取付枠と下部支持板との間に複数枚のブラインド羽根を取付け、これを上下に貫通する昇降ロープを設けると共に、上部取付枠からブラインド羽根の幅方向の両側に設けられ、ブラインド羽根の上下の間隔を保持し、かつブラインド羽根の傾斜角度を調整する角度調整紐を取り付けている。上記昇降ロープ及び角度調整紐の一端側は上部取付枠に設けているストッパーを通って下方に引き出されている。昇降ロープ及び角度調整紐のそれぞれを手に持って操作することにより、ブラインド羽根が上下し、またブラインド羽根の角度が調整される。
従来例２は、上部横杆から適当間隔で垂らした昇降紐を複数の羽根の挿通孔に通し、昇降紐の下端部を下部横杆に止め、昇降紐の上部側は上部横杆の一端側に設けた紐止め機構に延びている。紐止め機構に延びた昇降紐は羽根前面右側に垂下がっている。また羽根の左右前後位置には、羽根の角度調整をするための操作紐が配置されている。昇降紐を操作することにより、羽根の開閉をすることができる。また操作紐を操作することにより、羽根の角度調整をすることができる。
【特許文献１】特開平７−３０５５８０号公報
【特許文献２】特開平８−３０３１５５号公報
【発明の開示】
【発明が解決しようとする課題】
【０００３】
従来例１では、昇降ロープ及び角度調整紐の一端側は上部取付枠に設けているストッパーを通って下方に引き出される構成であり、上記上部取付枠に昇降ロープ及び角度調整紐を外側に引出すための開口を開ける必要があり、昇降ロープ及び角度調整紐がブラインドの外側に露出されているために、次のような問題がある。すなわち、
見栄えが悪いことは当然のこととして、ブラインドを例えば室内のドア内に設置するには不向きであり、ブラインドの適用範囲を広げるためには改善の余地がある。
昇降ロープ及び角度調整紐の操作時にこれらが障害物に当たることがあり、操作がし難いことがある。
従来例２においても、紐止め機構に延びた昇降紐は羽根前面右側に垂下がっており、羽根の角度調整のための操作紐が羽根の左右前後位置に配置されているために、従来例１と同様の課題がある。
この発明の目的は、操作がし易くてブラインドの適用範囲の拡大を図ることにある。
【課題を解決するための手段】
【０００４】
この発明の第１の特徴は、支持枠、この支持枠内に配置してある複数のブレードで構成されているブラインド本体、上記ブレードの昇降機構、上記ブレードの角度調整機構並びに上記昇降機構及び角度調整機構を操作するための制動体及び操作体を備えていることにある。上記昇降機構は上記ブレードを昇降するための昇降紐を設けており、上記角度調整機構は上記ブレードの角度を調整するための角度調整紐を設けており、上記制動体はマグネットを設けてあって、上記支持枠内を上下動可能であると共に、この上下動を通じて上記昇降紐及び角度調整紐を制御可能であり、上記操作体はマグネットを設け、上記支持枠の外側で上下動可能であり、上記制動体と上記操作体とは互いに磁気力により互いに吸引し合って、一体の関係にある。
この発明の第２の特徴は、上記第１の特徴を備えていると共に、支持枠がその両側からガラス板などの透明板によって挟持されかつ上記透明板と一体化されていることにある。
この発明の第３の特徴は、上記第１の特徴を備えていると共に、支持枠を挟むように配置されている透明板と、両透明板間にあって上記支持枠の外周を被覆すると共に、上記支持枠内を密閉する封止部材とを備えていることにある。
この発明の第４の特徴は、上記第２又は第３の特徴を備えていると共に、支持枠及び透明板をドア内に組み込んであることにある。
この発明の第５の特徴は、上記第１乃至第４のいずれかの特徴を備えていると共に、制動体が上記昇降紐及び角度調整紐の双方の制御を兼用していることにある。
この発明の第６の特徴は、上記第２乃至第５のいずれかの特徴を備えていると共に、制動体及び操作体は一方の透明板の正面の片側に上下動可能に配置されていることにある。
この発明の第７の特徴は、上記第１乃至第４のいずれかの特徴を備えていると共に、制動体が上記昇降紐を制御するための昇降制動体と角度調整紐を制御するための角度調整制動体とからなり、操作体が上記昇降制動体及び角度調整制動体とそれぞれ対となっている上記昇降操作体及び角度調整操作体とからなることにある。
この発明の第８の特徴は、上記第７の特徴を備えていると共に、制動体及び操作体が一方の透明板の正面の両側に上下動可能に配置されており、一側の制動体及び操作体が昇降制動体及び昇降操作体であり、他側の制動体及び操作体が角度調整制動体及び角度調整操作体であることにある。
この発明の第９の特徴は、上記第７の特徴を備えていると共に、制動体及び操作体が一方の透明板の正面の片側に上下動可能に配置されており、上下いずれか一側の制動体及び操作体が昇降制動体及び昇降操作体であり、他側の制動体及び操作体が角度調整制動体及び角度調整操作体であることにある。
この発明の第１０の特徴は、上記第１乃至第９のいずれかの特徴を備えていると共に、操作体の上下動作を案内するためのガイドレールを設けてあることにある。
【発明の効果】
【０００５】
この発明によれば、露出する紐やロープによることなく、マグネットの磁気力によって一体関係にある制動体と操作体とを用いてブラインド本体の開閉操作や角度調整操作をすることができるので、これらの操作がし易く、そしてドア内などにも組み込むことができ、その適用範囲の拡大を図ることができる。
【発明を実施するための最良の形態】
【０００６】
この発明を実施するための一形態を図１〜図２４を参照して説明する。
図１〜図５において、ブラインド１は支持枠２、この支持枠を挟むように配置されている透明板であるガラス板３、両ガラス板間にあって上記支持枠の外周を被覆する封止部材４、上記支持枠内に配置してある複数のブレード５ａからなるブラインド本体５、各ブレードを昇降するための昇降機構６、各ブレードの角度を調整するための角度調整機構７並びに制動体８及び操作体９を備えている。
【０００７】
図４〜図７において、支持枠２の本体は図６左右の縦枠２ａ，２ｂと上下の横枠２ｃ，２ｄとを組み合わせた四角形状のフレームである。縦枠２ａ，２ｂ及び横枠２ｃ，２ｄはいずれも筒体によって形成されている。左右の縦枠２ａ，２ｂのうち、一方（図４右方）の縦枠２ｂは他方の縦枠２ａと対向する内側面に上下方向に長い溝状の走行レール２ｂ１（図７）を設けてあり、走行レールの両側が立ち上がり２ｂ２となっている。
また一方の縦枠２ｂの内側にコ字状の側カバー１０を取り付けてあり、この側カバー内側に収納空間が形成されている（図４）。また図５及び図６に示すように、上方の横枠２ｃの内側にもＬ形カバー部１１ａ，１１ｂを組み合わせたコ字状の上カバー１１を取り付けてあり、この上カバー内側に収納空間が形成されている。
図８において、Ｌ形カバー部１１ａ，１１ｂはいずれも水平部１１ａ１，１１ｂ１に内方から外方に向けてＵ字形に切り込んだ係止孔１１ａ１１，１１ａ１２，１１ａ１３及び係止孔１１ｂ１１，１１ｂ１２，１１ｂ１３を長さ方向（図上下方向）に間隔を隔てて配置してある。図５に示すように、一側（図左側）のＬ形カバー部１１ａの水平部１１ａ１の上に、他方のＬ形カバー部１１ｂの水平部１１ｂ１が重ねられている。重ねられている状態において、係止孔１１ａ１１と係止孔１１ｂ１１、係止孔１１ａ１２と係止孔１１ｂ１２及び係止孔１１ａ１３と係止孔１１ｂ１３がいずれも長孔状の保持孔を形成している。
【０００８】
図４〜図６に示すように、透明のガラス板３は支持枠２より一回り大きな四角形状のガラス板であって、支持枠をその両側から挟むように保持している。両ガラス板３間にあって支持枠２の外周は全周に亘って幅ｗの空間１２（図４及び図５）が設けられている。
【０００９】
図１、図４及び図５に示すように、封止部材４は空間１２内に隙間なく充填されており、支持枠２（縦枠２ａ，２ｂ及び横枠２ｃ，２ｄ）の外周全周を被覆している。このために、支持枠２内は密閉状態にある。封止部材４はゴムなどの部材が用いられており、ガラス板３の内面に密着されている。
【００１０】
図１及び図２に示すブラインド本体５は複数のブレード５ａが水平に所定ピッチを置いて上下方向に配置されており、最下部にブレード板５ｂを設けてある。各ブレード５ａの長さ方向の両側には昇降用孔５ａ１，５ａ２を開けてある。各ブレード５ａは長方形状の長い板からなり、その幅方向（図１１の左右方向）の断面が緩やかな円弧を形成している。
【００１１】
ブレード５ａを昇降するための昇降機構６及びブレードの角度を調整するための角度調整機構７について説明する。
まず、ブレード５ａの昇降機構６及び角度調整機構７のそれぞれの概略を図９及び図１０を参照して説明し、ついでこれらの機構の具体的構成を主に図１１〜図２３に基づいて説明する。
図９において、ブレード５ａの昇降機構６は第１及び第２の昇降紐１３，１４を備えている。第１及び第２の昇降紐１３，１４は一端部１３ａ，１４ａ側でブラインド本体５の各ブレード５ａを貫通して最下部を吊り下げ保持し、第１及び第２の昇降紐の上下動によって各ブレード５ａが昇降する。第１及び第２の昇降紐１３，１４はブラインド本体５の上側で第１及び第２の昇降伝動ローラ１５，１６に掛け回され、図９右側に水平方向に引き出され、第３の昇降伝動ローラ１７を経てそれぞれ下方に延伸され、さらに他端部側で制動体８の制動ローラ１８に掛け回され、上方に延ばされて他端部１３ｂ，１４ｂが止め部材１９に固着されている。
制動体８と、これに対向近接してある上下動可能である操作体９とはいずれもマグネット２０，２１を装着してあり、対向しているマグネットの磁気力により互いに吸引し合って、一体の関係にある。
操作体９を上下動させると、制動体８も操作体の移動に伴って同一方向に移動する。この移動によって、制動体８が例えば図９下方に移動すれば、制動ローラ１８は下方に移動し、制動ローラと第３の昇降伝動ローラ１７との間の第１及び第２の昇降紐１３，１４が下方に引っ張られるから、ブラインド本体５の各ブレード５ａが上昇し、開放可能となる。
反対に、制動体８が上方に移動すれば、制動ローラ１８は上方に移動するから、制動ローラと第３の昇降伝動ローラ１７との間の第１及び第２の昇降紐１３，１４は上方に引戻されるから、ブラインド本体５の各ブレード５ａが降下し、閉鎖可能となる。
【００１２】
図９及び図１０において、ブレード５ａの角度調整機構７は回転軸２２を備えており、この回転軸に第１及び第２の角度調整伝動ローラ２３，２４並びに角度調整制動ローラ２５を固定してある。
第１の角度調整伝動ローラ２３には対の第１の角度調整紐２６の上側を掛け回し、第２の角度調整伝動ローラ２４には対の第２の角度調整紐２７の上側を掛け回してある。第１及び第２の角度調整紐２６，２７の下側はブラインド本体５の各ブレード５ａをその両側で吊り下げ保持している。
角度調整制動ローラ２５の下方に下側ローラ２９を設けてあり、この角度調整制動ローラと下側ローラとの間に角度調整制動紐２８を掛け回してある。角度調整制動紐２８には制動体８を介在させてある。換言すると、制動体８の両側に角度調整制動紐２８の両端を接続し、無端状の角度調整制動紐２８は角度調整制動ローラ２５と下側ローラ２９との間に掛け回されている。
操作体９を所定距離だけ上下動させると、制動体８も操作体の移動に伴って同一方向に移動し、この移動により角度調整制動ローラ２５と下側ローラ２９との間に掛け回わされている角度調整制動紐２８は時計方向に又は反時計方向に移動され、同時に角度調整制動ローラが正転又は反転され、角度調整制動ローラの回転力が回転軸２２を通じて第１及び第２の角度調整伝動ローラ２３，２４に伝達されて正転又は反転される。この結果、第１及び第２の角度調整紐２６，２７が上下動してブラインド本体５の各ブレード５ａの角度が調整される。
【００１３】
図１及び図１１〜図２０に基づいて、ブレード５ａの昇降機構６の具体的構成を説明する。
昇降機構６は、図１１〜図１４及び図２０に示すように、第１及び第２の昇降紐１３，１４、第１、第２及び第３のローラ枠３０，３１，３２、第１、第２及び第３の昇降伝動ローラ１５，１６，１７及び制動ローラ１８を備えており、制動体８及び操作体９（図１７）によって操作されるものである。
図１３及び図１４左右両側に位置している第１及び第２の昇降紐１３，１４は、最上に位置しているブレード５ａから最下端に位置するブレード板５ｂまでを昇降用孔５ａ１，５ａ２を通じて貫通し、それぞれの紐下端がブレード板に接続されている。第１及び第２の昇降紐１３，１４は上側で第１、第２及び第３のローラ枠３０，３１，３２の第１、第２及び第３の昇降伝動ローラ１５，１６，１７を経て制動体８の制動ローラ１８に掛け回されている。
【００１４】
図１１〜図１４に示す第１、第２及び第３のローラ枠３０〜３２において、第１及び第２のローラ枠３０，３１はいずれも同一構成である。第１及び第２のローラ枠３０，３１はプラスチック部材によって正面溝形に形成されており、両側に軸受け３０ａ，３１ａを起立してある。第１及び第２のローラ枠の軸受け３０ａ，３１ａには上方にＵ字形の受け溝を、下方の両側に対の縦長の通孔３０ａ１，３０ａ２，３０ａ３，３０ａ４及び通孔３１ａ１，３１ａ２，３１ａ３，３１ａ４（図１４）を貫通してある。また第１及び第２のローラ枠３０，３１の内底部に第１及び第２の昇降伝動ローラ１５，１６を取り付けてある。さらに第１及び第２のローラ枠３０，３１の底部に下端につば部を有するガイド筒３０ｂ，３１ｂを設けてあり、ガイド筒の外周が係合溝３０ｃ，３１ｃになっている。
第３のローラ枠３２は、ガイド筒の構成を除いて第１及び第２のローラ枠３０，３１と同一であるので、相違点のみを説明する。
ガイド筒３２ｂはその取付け位置が図１３右側にずらされていると共に、内部には十字板からなる仕切り３２ｄによって４つのガイド通路３２ｅ１，３２ｅ２，３２ｅ３，３２ｅ４を形成してある（図１５）。第１及び第２のガイド通路３２ｅ１，３２ｅ２は第３の昇降伝動ローラ１７寄りに配置され、第３及び第４のガイド通路３２ｅ３，３２ｅ４はその反対側に配置されている。
第３の昇降伝動ローラ１７は第３のローラ枠３２の内底部に取り付けられている。軸受け３２ａ、受け溝及び通孔３２ａ１，３２ａ２，３２ａ３，３２ａ４は第１及び第２のローラ枠３０，３１における軸受け３０ａ，３１ａ、受け溝及び通孔３０ａ１〜３０ａ４，３１ａ１〜３１ａ４に対応している。
図１４に示すように、第１のローラ枠の通孔３０ａ１，３０ａ３、第２のローラ枠の通孔３１ａ１，３１ａ３及び第３のローラ枠の通孔３２ａ１，３２ａ３は同一直線上に配置され、また第１のローラ枠の通孔３０ａ２，３０ａ４、第２のローラ枠の通孔３１ａ２，３１ａ４及び第３のローラ枠の通孔３２ａ２，３２ａ４は同一直線上に配置されている。
第１、第２及び第３のローラ枠３０，３１，３２は図１６に示すように、上カバー１１によって被覆されていると共に、各ガイド筒３０ｂ，３１ｂ，３２ｂを通じて上カバーのＬ形カバー部１１ａ，１１ｂの水平部に保持されている。
保持状態を説明すると、第１のローラ枠３０はガイド筒３０ｂの係合溝３０ｃ内に図１６（ア）に示すように、両側からＬ形カバー部１１ａ，１１ｂの水平部の係止孔１１ａ１１，１１ｂ１１が差し込まれ、第２のローラ枠３１はガイド筒３１ｂの係合溝３１ｃ内に図１６（イ）に示すように、両側から水平部の係止孔１１ａ１２，１１ｂ１２が差し込まれ、第３のローラ枠３２はガイド筒３２ｂの係合溝３２ｃ内に図１６（ウ）に示すように、両側から水平部の係止孔１１ａ１３，１１ｂ１３が差し込まれ、各ガイド筒が各係止孔を介して左右のＬ形カバー部１１ａ，１１ｂによって挟まれ、保持されている。
【００１５】
制動体８について、主に図４、図１７〜図２２を参照して説明する。
制動体８はその本体が角柱体状に形成されており、側面片側（図１８右側）に走行ローラ３３を取り付けてある。走行ローラ３３はローラ軸３４を中心として回転可能である。制動体８は走行ローラ３３を通じて縦枠２ｂの走行レール２ｂ１上を昇降（上下動）可能である。また制動体８は、正面側にローラ軸３６を回転中心とする補助走行ローラ３５を取り付けてある。制動体８は補助走行ローラ３５を通じて縦枠２ｂの側カバー１０内面上を昇降（上下動）可能であって、安定的走行を可能にしている。制動体８の内部に磁性板４３を取り付けてある。磁性板４３にマグネット２０を吸着してある。マグネット２０は図１７及び図１８に示す例ではブロック状のものを３個並べて制動体８の収納部内に納めてある。各マグネット２０の正面側は広い面となっており、この面が縦枠２ｂの走行レール２ｂ１に対向状態に露出されている。
図１８〜図２０に示すように制動体８の上部には上端開口の収納穴部８ａを開けてある。収納穴部８ａ内には制動ローラ１８を設けてある。制動ローラ１８はローラ軸３７を中心として回転可能である。ローラ軸３７の軸心方向は走行ローラ３３のローラ軸３４のそれと一致されている。
【００１６】
図１に示す昇降機構６における第１及び第２の昇降紐１３，１４の配置について説明する。
図１３〜図１５に示すように、第１の昇降伝動ローラ１５に掛け回されている第１の昇降紐１３は、その一端部側でガイド筒３０ｂを貫通してブラインド本体５を吊り（図１１）、他端部側が第１の昇降伝動ローラから第１のローラ枠３０の通孔３０ａ４を通過し、第２のローラ枠３１の通孔３１ａ２，３１ａ４を通って、第３のローラ枠３２の通孔３２ａ２を貫通し、第３の昇降伝動ローラ１７を経てガイド筒３２ｂの第２のガイド通路３２ｅ２を通って下方に導かれて制動体８の制動ローラ１８に掛け回されて上方に引き出されて、他端部１３ｂは止め部材１９に接続されている（図２０）。止め部材１９は縦枠２ｂの内面にビス止めされている。
図１３〜図１５に示すように、第２の昇降伝動ローラ１６に掛け回されている第２の昇降紐１４は、その一端部側でガイド筒３１ｂを貫通してブラインド本体５を吊り（図１２）、他端部側が第２の昇降伝動ローラから第２のローラ枠３１の通孔３１ａ３を通過し、第３のローラ枠３２の通孔３２ａ１を貫通し、第３の昇降伝動ローラ１７を経てガイド筒３２ｂの第１のガイド通路３２ｅ１を通って下方に導かれて制動体８の制動ローラ１８に掛け回されて上方に引き出されて、他端部１４ｂは止め部材１９に接続されている（図２０）。
【００１７】
昇降機構６は上記構成であるから、図１及び図２０に示すように制動体８を降下（下動）させると、走行ローラ３３を通じて縦枠２ｂの走行レール２ｂ１上を下方に移動し、この移動に伴って制動ローラ１８が下方に移動しながら第１及び第２の昇降紐１３，１４を下方に引っ張るから、第１及び第２の昇降紐はブレード板５ｂを上方に持ち上げ、このため各ブレード５ａが上方に押し上げられてブラインド本体５は収縮される。
反対に、制動体８を上昇（上動）させると、走行ローラ３３を通じて縦枠２ｂの走行レール２ｂ１上を上方に移動し、この移動に伴って制動ローラ１８が上方に移動し、第１及び第２の昇降紐１３，１４の引っ張り状態が緩み、第１及び第２の昇降紐はブレード板５ｂを下方に落下させ、このためブラインド本体５は伸張される。
【００１８】
ブレード５ａの角度を調整するための角度調整機構７の具体的構成について、図１、図１１〜図１５及び図２１〜図２２を参照して説明する。
角度調整機構７は、図１３及び図２１に示すように回転軸２２、第１及び第２の角度調整伝動ローラ２３，２４、角度調整制動ローラ２５、第１及び第２の角度調整紐２６，２７、角度調整制動紐２８及び下側ローラ２９を備えている。
【００１９】
回転軸２２は、図１及び図１３に示すように横枠２ｃに沿って水平方向に配置されており、ローラ枠３０，３１，３２の軸受け３０ａ，３１ａ，３２ａに回転可能に軸受けされている。
【００２０】
図１及び図１３に示すように第１及び第２の角度調整伝動ローラ２３，２４並びに角度調整制動ローラ２５は、軸心を貫通している回転軸２２にそれぞれ間隔を隔てて固定されている。
第１及び第２の角度調整伝動ローラ２３，２４はいずれも同一構成である。第１及び第２の角度調整伝動ローラ２３，２４はローラ枠内３０，３１に配置されており、中間部に円周方向に全周に保持溝２３ａ，２４ａを形成してある。第１及び第２の角度調整伝動ローラ２３，２４には、図１３に示すように各保持溝２３ａ，２４ａを通じて第１の角度調整紐２６（２６ａ，２６ｂ）（図１１）及び第２の角度調整紐２７（２７ａ，２７ｂ）（図１２）がそれぞれ掛け回されている。
角度調整制動ローラ２５は、回転軸２２の一端側（図１３右端側）に設けられているローラ枠３２内に配置されている。角度調整制動ローラ２５の端部に円周方向に全周に保持溝２５ａを形成してある。角度調整制動ローラ２５には保持溝２５ａを通じて角度調整制動紐２８が掛け回されている。
【００２１】
第１の角度調整紐２６及び第２の角度調整紐２７は、図１１及び図１２に示すようにそれぞれ２本の紐部２６ａ，２６ｂ及び紐部２７ａ，２７ｂからなる。紐部２６ａ，２６ｂ及び紐部２７ａ，２７ｂは第１及び第２の角度調整伝動ローラ２３，２４から下方に向けてブレード５ａの幅方向の両側からこれを挟むように垂れ下がり、各下端部がブレード板５ｂ（図１）に接続されている。対向する第１の角度調整紐２６の紐部２６ａ，２６ｂの間及第２の角度調整紐２７の紐部２７ａ，２７ｂの間には、それぞれブレード５ａの底部を支えるブレード保持紐２６ｃ，２７ｃを渡してある。
【００２２】
図２１及び図２２に示すように、角度調整制動紐２８は角度調整制動ローラ２５に掛け回されて、下方に延びている一端部２８ａが制動体８の上端部に止められ、他端部２８ｂ側が制動体の背部を通って下側ローラ２９に掛け回されて上方に引き出されて制動体８の下端に止められている。下側ローラ２９は縦枠２ｂに固定されている保持体３８に取り付けられている。保持体３８にはブレード側に向けてＬ形の腕部を設け、下側ローラ２９が腕部内にローラ軸３９を回転中心として配置されている。
【００２３】
図２１及び図２２に示すように、角度調整機構７は上記構成であるから、制動体８をわずかの距離上下動させると、走行ローラ３３を通じて縦枠２ｂの走行レール２ｂ１上を上下移動し、角度調整制動紐２８は制動体８に接続され、かつ角度調整制動ローラ２５と下側ローラ２９との間に無端状に掛け回されているので、制動体の移動に伴って角度調整制動紐２８が上下動するから、上下動した距離に対応する角度分だけ角度調整制動ローラ２５が正転及び反転をし、同時に回転軸２２を通じて第１及び第２の角度調整伝動ローラ２３，２４（図１）が正転又は反転をするから、対向している第１の角度調整紐の紐部２６の紐部２６ａ，２６ｂの一方が、そして第２の角度調整紐２７の紐部２７ａ，２７ｂの一方が下方に引っ張られ、他方が上方に引っ張られるから、保持紐２６ｃ，２７ｃが水平状態から下向きの傾斜状態に、下向きの傾斜状態から水平状態に又は水平状態から上向きの傾斜状態に変化するため、この変化に追従して各ブレード５ａの角度が変化して、角度調整がされる。
【００２４】
操作体９について、図１、図４、図１７及び図２３を参照して説明する。
操作体９はプラスチックによって立方体状に成形されており、中央部に凹部９ａを設けて把持し易くしている。操作体９は内部にマグネット２１を収納してある。マグネット２１は上記マグネット２０と同様の形状にしている。マグネット２１の端面は操作体９の背面より露出されている。マグネット２１の片側（図４及び図２３右側）に側面に沿ってかつその長さ方向にガイド突部９ｂを設けてある。ガイド突部９ｂは操作体９と同じ又はこれより短い長さを備えている。操作体９は図２３の上下方向に移動可能である。操作体９は一方（図２右方）のガラス板３の正面（前面）上を円滑にスライドできるようにするためにガイドレール４０を設けてある。ガイドレール４０はガラス板３の正面上固着されている。ガイドレール４０は長さ方向にガイドスリット４０ａを開けてある。ガイドスリット４０ａ内には図４に示すように操作体９のガイド突部９ｂが組み込まれている。操作体９はガイドレール４０に沿って上下動（昇降）可能である。操作体９はガラス板３に面する側にローラ４１を設けてあり、ローラがガラス板上を円滑に走行可能としている。ガイドレール４０の両端にストッパ４２を装着してある。
【００２５】
制動体８と操作体９との関係について、図１、図４及び図１７を参照して説明する。
制動体８と操作体９とはガラス板３を挟んで対向位置関係にある。対向位置関係の維持は、制動体８のマグネット２０と操作体９のマグネット２１とが互いに吸引し合うことによって達成される。このようなマグネット２０，２１の磁気力によって、操作体９は、ガラス板３上での位置保持が可能となり、操作体の上下動により制動体８は操作体の移動方向と同じ方向に移動が可能となる。
【００２６】
ブラインド本体５の開閉及びブレード５ａの角度調整について説明する。
ブラインド本体５を全開又は一部開放するためには、図１及び図２０に示すように操作体９を降下させると、操作体と対向して互いに吸引関係にある制動体８も縦枠２ｂの走行レール２ｂ１上を下方に移動し、この移動に伴って制動ローラ１８が降下するために、制動体と止め部材１９との距離が離れるから、第１及び第２の昇降紐１３，１４が下方に引っ張られ、ブレード板５ｂは第１及び第２の昇降紐を介して上方に持ち上げられ、このため各ブレード５ａが上方に押し上げられてブラインド本体５は収縮され、開放される。
ブラインド本体５を全閉又は一部閉鎖するためには、図１及び図２０に示すように操作体９を上昇させると、制動体８も上昇され、縦枠２ｂの走行レール２ｂ１上を上昇し、この上昇に伴って制動ローラ１８が上方に移動しながら第１及び第２の昇降紐１３，１４の引っ張り状態が緩み、ブレード板５ｂは降下するためブラインド本体５は伸張され、閉鎖される。
ブラインド本体５のブレード５ａの角度を調整して遮光するためには、図１及び図２１に示すように、操作体９を所定距離だけ上昇（上動）させると、制動体８も操作体の移動に伴って同一方向に移動し、この移動により角度調整制動ローラ２５と下側ローラ２９との間に掛け回してある角度調整制動紐２８は反時計方向に移動され、同時に角度調整制動ローラも反時計方向に回転され、角度調整制動ローラの回転力が回転軸２２を通じて第１及び第２の角度調整伝動ローラ２３，２４に伝達されて図１１及び図１２反時計方向に回転される。この結果、第１及び第２の角度調整紐２６，２７の紐部２６ａ，２７ａが降下し、紐部２６ｂ，２７ｂが上昇するから、図５に示すようにブラインド本体５の各ブレード５ａ右肩上がりに傾斜され、遮光される。
図５に示す状態から、光を取り入れるためには、操作体９を所定距離だけ降下させることにより、角度調整制動ローラ２５を通じて第１及び第２の角度調整伝動ローラ２３，２４は時計方向に回転され、第１及び第２の角度調整紐２６，２７の紐部２６ａ，２７ａが上昇し、紐部２６ｂ，２７ｂが降下するから、図１１及び図１２に示すようにブラインド本体５の各ブレード５ａが水平の状態になった段階で操作体９の移動を停止する。
【００２７】
図２４に示すドアＤは、図１に示すブラインド１を組み込んでいる適用例である。
ドアＤは、ブラインド１の開閉及びブレードの角度調整のための操作用の開口部がなく、紐も露出されておらず、外観の見栄えが良く、ブラインド１内を真空状態に密閉することにより、この種のブラインドを窓側の扉又はドアに配置すれば結露防止が図られる。
【００２８】
この発明を実施するための他の形態について図２５〜図３５を参照して説明する。
図示するブラインド１Ａに係る構成の特徴は操作体及び制動体をそれぞれ昇降用と角度調整用とに分離した点にあり、換言すれば、昇降機構６Ａと角度調整機構７Ａとを互いに独立して機能できる構成にした点にある。
ブラインド１Ａの他の構成は図１に示すブラインド１のそれと実質的に同一であるので、共通する構成部分を説明する上で用いる符号をブラインド１の符号と一致させて対応関係を明確にしている。
以下、この発明に係る形態の特徴を説明し、共通する構成に関して必要に応じて説明する。
【００２９】
図２８において、ブラインド１Ａの支持枠２Ａの本体は左右の縦枠２ａ，２ｂと上下の横枠２ｃ，２ｄとを組み合わせた四角形状のフレームであって、両縦枠の内側にコ字状の側カバー１０，１０Ａを取り付けてある。また上方の横枠２ｃの内側にもＬ形カバー部１１Ａａ，１１Ａｂを組み合わせたコ字状の上カバー１１Ａを取り付けてある。
図２９に示すように、Ｌ形カバー部１１Ａａ，１１Ａｂはいずれも水平部１１ａ１，１１ｂ１に内方から外方に向けてＵ字形に切り込んだ係止孔１１ａ１１，１１ａ１２，１１ａ１３，１１ａ１３Ａ及び係止孔１１ｂ１１，１１ｂ１２，１１ｂ１３，１１ｂ１３Ａを長さ方向（図上下方向）に間隔を隔てて配置してある。
図２８に示すように、一側（図左側）のＬ形カバー部１１Ａａの水平部１１ａ１の上に、他方のＬ形カバー部１１Ａｂの水平部１１ｂ１が重ねられている。重ねられている状態において、係止孔１１ａ１１と係止孔１１ｂ１１、係止孔１１ａ１２と係止孔１１ｂ１２、係止孔１１ａ１３と係止孔１１ｂ１３及び係止孔１１ａ１３Ａと係止孔１１ｂ１３Ａが長孔状の保持孔を形成している。
Ｌ形カバー部１１Ａａ，１１Ａｂは、水平部１１ａ１，１１ｂ１の対の係止孔１１ａ１１と係止孔１１ｂ１１、係止孔１１ａ１２と係止孔１１ｂ１２、係止孔１１ａ１３と係止孔１１ｂ１３及び係止孔１１ａ１３Ａと係止孔１１ｂ１３Ａが、後述する第１、第２、第３及び第４のローラ枠３０，３１，３２，３２Ａ（図３１）のガイド筒３０ｂ，３１ｂ，３２ｂ，３２Ａｂの係合溝３０ｃ，３１ｃ，３２ｃ，３２Ａｃに差し込まれた状態で第１、第２、第３及び第４のローラ枠を保持している。
【００３０】
図２５〜図２７において、昇降制動体８Ａ１と昇降操作体９Ａ１はブラインド本体５のブレード５ａの昇降機構６Ａを操作するものである。また角度調整制動体８Ａ２と角度調整操作体９Ａ２とはブラインド本体５のブレード５ａの角度調整機構７Ａを操作するものである。図２５に示す例では、昇降制動体８Ａ１と昇降操作体９Ａ１は正面側のガラス板３の前面の右側に、また角度調整制動体８Ａ２と角度調整操作体９Ａ２は正面側のガラス板３の前面の左側にそれぞれ配置されている。
【００３１】
図３０〜図３３において、ブレード５ａの昇降機構６Ａは前記昇降機構６と同一構成であるので、その説明を省略する。
図３０〜図３３において、ブレード５ａの角度調整機構７Ａは回転軸２２Ａを備えており、この回転軸に第１及び第２の角度調整伝動ローラ２３，２４並びに第１及び第２の角度調整制動ローラ２５Ａ１，２５Ａ２を固定してある。
第１の角度調整制動ローラ２５Ａ１は回転軸２２Ａの図３０及び図３３の左端に固着されている。第１の角度調整制動ローラ２５Ａ１の下方に下側ローラ２９Ａを設けてある。第１の角度調整制動ローラ２５Ａ１と下側ローラ２９Ａとの間に角度調整制動紐２８Ａを掛け回してある。角度調整制動紐２８Ａの図３１上端側は第１の角度調整制動ローラ２５Ａ１の保持溝２５Ａ１ａ内に掛け回されている。角度調整制動紐２８Ａの図３３の下端側は保持体３８Ａに取り付けられているローラ軸３９Ａを回転中心とする下側ローラ２９Ａに掛け回されている。角度調整制動紐２８Ａには角度調整制動体８Ａ２を介在させてある。
第１の角度調整制動ローラ２５Ａ１は第１及び第２の角度調整伝動ローラ２３，２４並びに第２の角度調整制動ローラ２５Ａ２と共に、回転軸２２Ａを介して第４のローラ枠３２Ａ並びに第１、第２及び第３のローラ枠３０，３１，３２に支持されている。
図３１及び図３２において、第４のローラ枠３２Ａは第３のローラ枠３２と同一構成である。第４のローラ枠３２Ａの軸受け３２Ａａ、通孔３２Ａａ１，３２Ａａ２，３２Ａａ３，３２Ａａ４、ガイド筒３２Ａｂ、係合溝３２Ａｃ、仕切り３２Ａｄ、ガイド通路３２Ａｅ１，３２Ａｅ２，３２Ａｅ３，３２Ａｅ４は、第３のローラ枠３２の軸受け３２ａ、通孔３２ａ１，３２ａ２，３２ａ３，３２ａ４、ガイド筒３２ｂ、係合溝３２ｃ、仕切り３２ｄ、ガイド通路３２ｅ１，３２ｅ２，３２ｅ３，３２ｅ４にそれぞれ対応している。
【００３２】
図３３及び図３４に示す角度調整制動体８Ａ２は昇降制動体８Ａ１と同一構成であり、昇降制動体８Ａ１は制動体８と同一構成である。
角度調整制動体８Ａ２におけるマグネット２０Ａ、走行ローラ３３Ａ、ローラ軸３４Ａ、補助走行ローラ３５Ａ及び磁性板４３Ａは、制動体８におけるマグネット２０、走行ローラ３３、ローラ軸３４、補助走行ローラ３５及び磁性板４３にそれぞれ対応している。
角度調整制動体８Ａ２は走行ローラ３３Ａを通じて縦枠２ａの走行レール２ａ１上を昇降（上下動）可能である。角度調整制動体８Ａ２は補助走行ローラ３５Ａを通じて縦枠２ａの側カバー１０Ａ内面上を昇降（上下動）可能であって、安定的走行を可能にしている。またマグネット２０Ａの正面の端面は縦枠２ａに対向状態に露出されている。
【００３３】
図３４及び図３５において、角度調整操作体９Ａ２は昇降操作体９Ａ１と同一構成であり、昇降操作体９Ａ１は操作体９と同一構成である。
角度調整操作体９Ａ２の凹部９Ａａ、ガイド突部９Ａｂ、マグネット２１Ａ、ガイドレール４０Ａ、ガイドスリット４０Ａａ、ローラ４１Ａ及びストッパ４２Ａは、操作体９の凹部９ａ、ガイド突部９ｂ、マグネット２１、ガイドレール４０、ガイドスリット４０ａ、ローラ４１及びストッパ４２にそれぞれ対応している。
角度調整操作体９Ａ２は図３４に示すように、角度調整制動体８Ａ２と正面側のガラス板３を挟んで対向位置関係にして、角度調整制動体のマグネット２０Ａと角度調整操作体のマグネット２１Ａとが互いに吸引し合っている。このために、角度調整操作体９Ａ２は両マグネット２０Ａ，２１Ａの磁気力によって、ガラス板３上での位置保持が可能となり、角度調整操作体の上下動により角度調整制動体８Ａ２は角度調整操作体の移動方向と同じ方向に移動が可能となる。
【００３４】
角度調整操作体９Ａ２を上下動させると、角度調整制動体８Ａ２も角度調整操作体の移動に伴って同一方向に移動し、この移動により、図３０に示す第１の角度調整制動ローラ２５Ａ１と下側ローラ２９Ａとの間に掛け回してある角度調整制動紐２８Ａは時計方向に又は反時計方向に移動され、同時に第１の角度調整制動ローラが正転又は反転され、第１の角度調整制動ローラ２５Ａ１の回転力が回転軸２２Ａを通じて第１及び第２の角度調整伝動ローラ２３，２４に伝達されて正転又は反転される。この結果、第１及び第２の角度調整紐２６，２７が上下動してブラインド本体５の各ブレード５ａの角度が調整される。
【００３５】
図３０において、ブラインド本体５を全開又は一部開放するためには、図右側に位置している昇降操作体９Ａ１を降下させると、昇降制動体８Ａ１も下方に移動し、この移動に伴って制動ローラ１８が降下するために、第１及び第２の昇降紐１３，１４が下方に引っ張られるから、ブレード５ａは上方に持ち上げられ、押し上げられてブラインド本体５は収縮され、開放される。
ブラインド本体５を全閉又は一部閉鎖するためには、昇降操作体９Ａ１を上昇させると、昇降制動体８Ａ１も上昇され、この上昇に伴って制動ローラ１８が上方に移動しながら第１及び第２の昇降紐１３，１４の引っ張り状態が緩み、ブレード５ａは降下するためブラインド本体５は伸張され、閉鎖される。
ブラインド本体５のブレード５ａの角度を調整して遮光するためには、図３０左側に位置している角度調整操作体９Ａ２を所定距離だけ上昇させると、角度調整制動体８Ａ２も上昇し、この移動により第１の角度調整制動ローラ２５Ａと下側ローラ２９Ａとの間に掛け回してある角度調整制動紐２８Ａは反時計方向に移動され、同時に第１の角度調整制動ローラも反時計方向に回転（反転）され、第１の角度調整制動ローラの回転力が回転軸２２Ａを通じて第１及び第２の角度調整伝動ローラ２３，２４に伝達されて反転（反時計方向に回転）される。この結果、第１及び第２の角度調整紐２６，２７を介してブラインド本体５の各ブレード５ａが傾斜され、遮光される。
光を取り入れるためには、角度調整操作体９Ａ２を所定距離だけ降下させることにより、第１の角度調整制動ローラ２５Ａ１を通じて第１及び第２の角度調整伝動ローラ２３，２４は時計方向に回転（正転）され、第１及び第２の角度調整紐２６，２７を介してブラインド本体５の各ブレード５ａが水平の状態になった段階で角度調整操作体９Ａ２の移動を停止する。
【００３６】
なお、図３０及び図３１に示す例では、昇降制動体８Ａ１が角度調整機構７Ａから切り離されているので、第２の角度調整制動ローラ２５Ａ２の保持溝２５Ａ２ａには角度調整制動紐が掛け回されておらず、また図３１に示す第４のローラ枠３２Ａの内底部に取り付けてある昇降伝動ローラ１７Ａには昇降紐が掛け回されていない。
【００３７】
この発明を実施するためのさらに他の形態について図３６及び図３７を参照して説明する。
図示するブラインド１Ｂに係る構成の特徴は操作体及び制動体をそれぞれ昇降用と角度調整用とに分離した点にある。
ブラインド１Ｂの他の構成は図１に示すブラインド１のそれと実質的に同一であるので、共通する構成部分を説明する上で用いる符号をブラインド１の符号と一致させて対応関係を明確にしている。
以下、この発明に係る形態の特徴を説明し、共通する構成に関して必要に応じて説明する。
【００３８】
図３６及び図３７に示すように正面側のガラス板３の前面の片側（図右側）に、ブレード５ａの昇降制動体８Ｂ１及び昇降操作体９Ｂ１と、角度調整制動体８Ｂ２及び角度調整操作体９Ｂ２とが配置されている。
昇降機構６Ｂは前記昇降機構６，６Ａと構成及び作用が同一である。昇降操作体９Ｂ１を上下動させることより、マグネット２０，２１を介して一体の昇降制動体８Ｂ１も連動して上下動され、ブラインド本体５の開閉が可能となる。
図３７に示す角度調整機構７Ｂにおいて、角度調整制動体８Ｂ２は正面側のガラス板３（図３６）を挟んで角度調整操作体９Ｂ２と対向位置し、互いにマグネット２０Ｂ，２１Ｂの磁気力によって吸引され一体関係にある。角度調整制動ローラ２５と下側ローラ２９Ｂとの間に角度調整制動紐２８Ｂを掛け回してある。角度調整制動紐２８Ｂには角度調整制動体８Ｂ２を介在させている。
図３６に示すように正面側のガラス板３の前面の片側（図右側）に、角度調整操作体９Ｂ２及び昇降操作体９Ｂ１を案内すると共にガイドスリット４０Ｂａを有するガイドレール４０Ｂを上下方向に取り付けてあり、上下両端及び上側の３箇所にそれぞれストッパ４２Ｂを取り付けてある。昇降操作体９Ｂ１及び角度調整操作体９Ｂ２はいずれも昇降操作体９Ａ１及び角度調整操作体９Ａ２と同一構成であり、またガイドレール４０Ｂはその長さを除いてガイドレール４０，４０Ａと同一構成である。
角度調整操作体９Ｂ２を上下動させることにより、角度調整制動体８Ｂ２も上下動し、この動作に追従して角度調整制動紐２８Ｂを通じて回転軸２２が正転又は反転して、第１及び第２の角度調整伝動ローラ２３，２４も正転又は反転し、ブラインド本体５のブレード５ａの角度が調整される。
【００３９】
ブラインド本体５を開放又は閉鎖するためには、図３７の右下側に位置している昇降操作体９Ｂ１を降下又は上昇させると、昇降制動体８Ｂ１も下方又は上方に移動し、この移動に伴って制動ローラ１８が降下又は上昇するために、第１及び第２の昇降紐１３，１４を介してブレード５ａは上方に持ち上げられるか又は降下するために、ブラインド本体５は収縮又は伸張され、開放又は閉鎖される。
ブラインド本体５のブレード５ａの角度を調整するためには、角度調整制動体８Ｂ２に対向している角度調整操作体９Ｂ２を所定距離だけ昇降させることにより、角度調整制動ローラ２５Ｂを通じて第１及び第２の角度調整伝動ローラ２３，２４は正転又は反転され、第１及び第２の角度調整紐２６，２７を介してブラインド本体５の各ブレード５ａの角度が傾斜又は水平の状態になって、遮光又は光を取り入れることができる。
【００４０】
図１、図２５及び図３６に示すブラインド１，１Ａ，１Ｂにおいて、支持枠２，２Ａをガラス板３で挟み、封止部材４によって外周を封止して支持枠内を密閉にしかつ一体化することにより、内部の真空化を実現することができ、真空化が結露防止に有効である。また一体化により、ブラインド１，１Ａ，１Ｂを室内のドアＤなどにも容易に組み込むことができ、適用範囲を広げることができる。
ブラインド１，１Ａ，１Ｂの開閉及びブレード５ａの角度調整のための各操作をマグネット２０，２０Ａ，２０Ｂを有する制動体８，８Ａ１，８Ｂ１，８Ａ２，８Ｂ２と、支持枠２，２Ａの外に位置しているマグネット２１，２１Ａ，２１Ｂを有する操作体９，９Ａ１，９Ｂ１，９Ａ２，９Ｂ２によって行うので、ブラインドに開口部を開ける必要がなく、このために外観美に優れ、支持枠内の密封が容易に実現でき、ドア、壁の開口部又は窓のサッシなどにも簡単に取り付けることができる。
図１、図２５及び図３６に示すように、ブラインド１，１Ａ，１Ｂは支持枠２，２Ａを透明板３で挟持して外周を封止部材４により封止し、全体がユニット化されているので、運搬や取付け作業の迅速化や簡易化に寄与する。
【００４１】
図１、図２５及び図３６に示すブラインド１，１Ａ，１Ｂにおいて、その構成部品を共通化しながらも、多様な昇降機構６，６Ａ，６Ｂや角度調整機構７，７Ａ，７Ｂを備えたブラインドを製造することができる。もちろん、構成部品を共通化することは必ずしも必要でない。また必ずしも封止部材４によって支持枠２，２Ａ内を密閉にすることを要しない。
支持枠２，２Ａと透明板３とをビスなどの結合部材で結合しても良く、封止部材４に限られない。透明板３はガラス板に限られず、プラスチック板でも良い。
図２５に示す例では、昇降制動体８Ａ１と角度調整制動体８Ａ２とを、また昇降操作体９Ａ１と角度調整操作体９Ａ２とを、それぞれ互いに同一構成にして、製造や組み立てを容易にしているが、必ずしもこの例に限らず、機能やデザインなどの観点から例えば図左側の角度調整制動体８Ａ２及び角度調整操作体９Ａ２の大きさやマグネットの数などを他側の昇降制動体８Ａ１及び昇降操作体９Ａ１のそれらと異にしても良い。
同様に、図３７に示す昇降制動体８Ｂ１と角度調整制動体８Ｂ２とを、また昇降操作体９Ｂ１と角度調整操作体９Ｂ２とを、それぞれ同一構成とする他に、例えば図上側の角度調整制動体８Ｂ２及び昇降操作体９Ｂ２の大きさやマグネットの数などを下側の昇降制動体８Ｂ１及び昇降操作体９Ｂ１のそれらと異にしても良い。
操作体９，９Ａ１，９Ｂ１，９Ａ２，９Ｂ２の操作手段は人手による手動でもまた自動でも良い。操作体９，９Ａ１，９Ｂ１，９Ａ２，９Ｂ２を自動操作する場合に、例えば操作体の本体にモータを組み込んで、リモートコントロールによってモータを制御して内蔵しているローラ４１，４１Ａを介して走行可能にしても良い。操作体９，９Ａ１，９Ｂ１，９Ａ２，９Ｂ２の配置位置に関しても、図示の例では正面のガラス板３の左右両側又は片側としているが、これらの例に限定されるものではなく、上側又は下側でも良く、また正面（前面）に限られず、側面側であっても良く、適宜である。
図３０及び図３１に示すように、回転軸２２Ａの両端側にいずれも同一構成のローラ枠３２，３２Ａ、昇降伝動ローラ１７，１７Ａ並びに第１及び第２の角度調整制動ローラ２５Ａ１，２５Ａ２を配置することにより、昇降機構及び角度調整機構がガラス板３の正面の左側、右側のいずれの側に配置される場合でも、それぞれ対応することができる。もちろん、図３０及び図３１に示す例では、昇降伝動ローラ１７Ａ及び第２の第２の角度調整制動ローラ２５Ａ２を設けなくても良い。
【図面の簡単な説明】
【００４２】
【図１】この発明に係るブラインドを示す一部切欠正面図である。
【図２】この発明に係るブラインドを示す正面図である。
【図３】図２の左側面図である。
【図４】図１のＩＶ−ＩＶ線拡大断面図である。
【図５】図１のＶ−Ｖ線拡大断面図である。
【図６】この発明に係るブラインドにおける支持枠を示す一部切欠拡大正面図であって、中間部分を省略している図である。
【図７】この発明に係るブラインドにおける縦枠を示す拡大側面図である。
【図８】この発明に係るブラインドにおける上カバーを分解して示す拡大平面図である。
【図９】この発明に係るブラインドにおけるブレードの昇降機構及び角度調整機構の概略を示す構成図である。
【図１０】この発明に係るブラインドにおけるブレードの角度調整機構の主要部の概略を示す構成図である。
【図１１】この発明に係るブラインドにおけるブレード、第１の昇降紐、第１の角度調整紐及び第１の角度調整伝動ローラの相互関係を側面側から示す拡大断面図である。
【図１２】この発明に係るブラインドにおけるブレード、第２の昇降紐、第２の角度調整紐及び第２の角度調整伝動ローラの相互関係を側面側から示す拡大断面図である。
【図１３】この発明に係るブラインドにおける第１及び第２の角度調整伝動ローラ並びに角度調整制動ローラの取付け状態を示す拡大正面図である。
【図１４】図１３のＸＩＶ−ＸＩＶ線断面図である。
【図１５】図１３のＸＶ−ＸＶ線拡大断面図である。
【図１６】この発明に係るブラインドにおける第１、第２及び第３のローラ枠と上カバーとの関係を示す一部断面拡大側面図である。
【図１７】この発明に係るブラインドにおける制動体と操作体との関係を示す拡大側面図である。
【図１８】この発明に係るブラインドにおける制動体を示す拡大正面図である。
【図１９】図１８のＸＩＸ−ＸＩＸ線拡大断面図である。
【図２０】この発明に係るブラインドにおける制動体と第１及び第２の昇降紐との関係を示す一部切欠拡大正面図である。
【図２１】この発明に係るブラインドにおける制動体と角度調整制動紐との関係を示す拡大正面図である。
【図２２】この発明に係るブラインドにおける制動体と角度調整制動紐との関係を示す拡大側面図である。
【図２３】この発明に係るブラインドにおける操作体の取り付け状態を示す拡大正面図である。
【図２４】この発明に係るブラインドを片開き室内ドアに適用した例を示す正面図である。
【図２５】この発明に係るブラインドの他の形態を示す正面図である。
【図２６】図２５の側面図である。
【図２７】図２５のＸＸＶＩＩ−ＸＸＶＩＩ線拡大断面図である。
【図２８】この発明に係るブラインドにおける支持枠の他の例を示す一部切欠拡大正面図であって、中間部分を省略している図である。
【図２９】この発明に係るブラインドにおける上カバーの他の例を分解して示す拡大平面図である。
【図３０】この発明に係るブラインドにおけるブレードの昇降機構及び角度調整機構の他の例の概略を示す構成図である。
【図３１】この発明に係るブラインドにおける第１及び第２の角度調整伝動ローラ並びに第１及び第の角度調整制動ローラの取付け状態を示す拡大正面図である。
【図３２】図３１のＸＸＸＩＩ−ＸＸＸＩＩ線断面図である。
【図３３】この発明に係るブラインドにおける昇降制動体及び昇降操作体と、角度調整制動体及び角度調整操作体との関係を示す拡大側面図である。
【図３４】この発明に係るブラインドにおける角度調整制動体と角度調整操作体との関係を示す拡大側面図である。
【図３５】この発明に係るブラインドにおける昇降操作体と角度調整操作体との関係を示す拡大正面図である。
【図３６】この発明に係るブラインドのさらに他の形態を示す正面図である。
【図３７】この発明に係るブラインドにおけるブレードの昇降機構及び角度調整機構のさらに他の例の概略を示す構成図である。
【符号の説明】
【００４３】
１，１Ａ，１Ｂ                ブラインド
２，２Ａ                      支持枠
２ａ，２ｂ                    縦枠
３                            ガラス板（透明板）
４                            封止部材
５                            ブラインド本体
５ａ                          ブレード
６，６Ａ，６Ｂ                昇降機構
７，７Ａ，７Ｂ                角度調整機構
８                            制動体
８Ａ１，８Ｂ１                昇降制動体（制動体）
８Ａ２，８Ｂ２                角度調整制動体（制動体）
９                            操作体
９Ａ１，９Ｂ１                昇降操作体（操作体）
９Ａ２，９Ｂ２                角度調整操作体（操作体）
１３                          第１の昇降紐
１４                          第２の昇降紐
１５                          第１の昇降伝動ローラ
１６                          第２の昇降伝動ローラ
１７                          第３の昇降伝動ローラ
１８                          制動ローラ
１９                          止め部材
２０，２０Ａ，２０Ｂ          マグネット
２１，２１Ａ，２１Ｂ          マグネット
２２，２２Ａ                  回転軸
２３                          第１の角度調整伝動ローラ
２４                          第２の角度調整伝動ローラ
２５                          角度調整制動ローラ
２５Ａ１                      第１の角度調整制動ローラ（角度調整制動ローラ）
２６                          第１の角度調整紐
２７                          第２の角度調整紐
２８，２８Ａ，２８Ｂ          角度調整制動紐
２９，２９Ａ，２９Ｂ          下側ローラ
Ｄ                            ドア
【図１】
2008208547.tif 000003
【図２】
2008208547.tif 000004
【図３】
2008208547.tif 000005
【図４】
2008208547.tif 000006
【図５】
2008208547.tif 000007
【図６】
2008208547.tif 000008
【図７】
2008208547.tif 000009
【図８】
2008208547.tif 000010
【図９】
2008208547.tif 000011
【図１０】
2008208547.tif 000012
【図１１】
2008208547.tif 000013
【図１２】
2008208547.tif 000014
【図１３】
2008208547.tif 000015
【図１４】
2008208547.tif 000016
【図１５】
2008208547.tif 000017
【図１６】
2008208547.tif 000018
【図１７】
2008208547.tif 000019
【図１８】
2008208547.tif 000020
【図１９】
2008208547.tif 000021
【図２０】
2008208547.tif 000022
【図２１】
2008208547.tif 000023
【図２２】
2008208547.tif 000024
【図２３】
2008208547.tif 000025
【図２４】
2008208547.tif 000026
【図２５】
2008208547.tif 000027
【図２６】
2008208547.tif 000028
【図２７】
2008208547.tif 000029
【図２８】
2008208547.tif 000030
【図２９】
2008208547.tif 000031
【図３０】
2008208547.tif 000032
【図３１】
2008208547.tif 000033
【図３２】
2008208547.tif 000034
【図３３】
2008208547.tif 000035
【図３４】
2008208547.tif 000036
【図３５】
2008208547.tif 000037
【図３６】
2008208547.tif 000038
【図３７】
2008208547.tif 000039
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
支持枠、この支持枠内に配置してある複数のブレードで構成されているブラインド本体、上記ブレードの昇降機構、上記ブレードの角度調整機構並びに上記昇降機構及び角度調整機構を操作するための制動体及び操作体を備えており、
上記支持枠は本体が左右の縦枠と上下の横枠とを組合せた四角形状のフレームであって、正面及び背面の両側から透明板によって挟持されており、
上記昇降機構は、上記ブレードを昇降するための第１及び第２の昇降紐、上記ブラインド本体の上側にかつ間隔を置いて配置されている第１、第２及び第３のローラ枠並びに上記第１、第２及び第３のローラ枠の内底部にそれぞれ取り付けてある第１、第２及び第３の昇降伝動ローラを備えており、
上記角度調整機構は、回転軸、上記回転軸に固定してある第１及び第２の角度調整伝動ローラ並びに角度調整制動ローラ、上記第１及び第２の角度調整伝動ローラに掛け回されかつ上記各ブレードの角度を調整するための第１及び第２の角度調整紐並びに上記角度調整制動ローラに掛け回されている角度調整制動紐を備えており、
上記制動体はマグネットを設けており、上記支持枠内を上下動可能であると共に、この上下動を通じて上記第１及び第２の昇降紐並びに角度調整制動紐を制御可能であり、
上記操作体はマグネットを設けていると共に、一方の上記透明板上を上下動可能であり、上記制動体と互いに磁気力により吸引し合って、一体の関係にあり、
上記第１、第２及び第３のローラ枠のうち、第１及び第２のローラ枠は各底部に上記ブラインド本体側から延伸されている上記第１及び第２の昇降紐をローラ枠内部に導くガイド孔を設け、上記第１のローラ枠の側部に上記第１の昇降紐が通過する通孔を設け、上記第２のローラ枠の側部であって上記第１のローラ枠側に面している一方の側部に上記第１の昇降紐が通過する通孔を設けると共に、他方の側部に上記第１及び第２の昇降紐が通過する通孔を設け、上記第３のローラ枠は底部に上記第１及び第２の昇降紐並びに角度調整制動紐を下方に導くための複数のガイド通路を有するガイド孔を設け、上記第３のローラ枠の側部であって上記第２のローラ枠側に面している一方の側部に上記第１及び第２の昇降紐が通過する通孔を設けてあり、
上記回転軸は上側の上記横枠に沿って上記第１、第２及び第３のローラ枠を貫通しており、
上記第１及び第２の角度調整伝動ローラ並びに角度調整制動ローラは、上記第１、第２及び第３のローラ枠の内部に配置されていると共に、上記第１の角度調整伝動ローラが上記第１の昇降伝動ローラの上方に、上記第２の角度調整伝動ローラが上記第２の昇降伝動ローラの上方に、上記角度調整制動ローラが上記第３の昇降伝動ローラの上方にそれぞれ設けられており、
上記第１及び第２の昇降紐は、上記ブラインド本体から第１及び第２のローラ枠内へガイド孔を通じて導かれており、上記第１の昇降紐が第１の昇降伝動ローラから第１のローラ枠の通孔を通過し、上記第２のローラ枠の通孔を通って、上記第３のローラ枠の通孔を貫通し、上記第３の昇降伝動ローラを経てガイド孔のガイド通路を通って下方に位置している上記制動体に導かれ、上記第２の昇降紐が第２の昇降伝動ローラから第２のローラ枠の通孔を通過し、上記第３のローラ枠の通孔を貫通し、上記第３の昇降伝動ローラを経てガイド孔のガイド通路を通って下方に位置している上記制動体に導かれており、
上記第１及び第２の角度調整紐はいずれも対の紐部からなり、両紐部が上記各ブレードの幅方向の両側を挟むように配置され、上記ブラインド本体から第１及び第２のローラ枠内へガイド孔を通じて導かれ、第１及び第２の角度調整伝動ローラにそれぞれ掛け回されており、
上記角度調整制動紐は上記第３のローラ枠のガイド孔のガイド通路を通って上記制動体に導かれており、
上記第３のローラ枠のガイド孔内は、仕切りによって上記第１及び第２の昇降紐が通るガイド通路と、上記角度調整制動紐が通るガイド通路とに仕切られており、
上記ブラインド本体における第１及び第２の各昇降紐は、それぞれが対応している上記第１及び第２の角度調整紐における両紐部間に位置している
ことを特徴とするブラインド。
【請求項２】
第３のローラ枠における複数のガイド通路は第１、第２、第３及び第４のガイド通路からなり、第１の昇降紐は第２のガイド通路を通過可能であり、第２の昇降紐は第１のガイド通路を通過可能であり、角度調整制動紐の一方の紐部が第３のガイド通路を、他方の紐部が第４のガイド通路をそれぞれ通過可能であることを特徴とする請求項１記載のブラインド。
【請求項３】
第２のローラ枠の他方の側部に設けてある通孔は第１の昇降紐が通過する通孔と、第２の昇降紐が通過する通孔とからなり、第３のローラ枠の一方の側部に設けてある通孔は第１の昇降紐が通過する通孔と、第２の昇降紐が通過する通孔とからなり、上記第１の昇降紐が通過する第１、第２及び第３のローラ枠の各通孔は同一直線上に配置され、上記第２の昇降紐が通過する第２及び第３のローラ枠の各通孔は同一直線上に配置されていることを特徴とする請求項１又は請求項２記載のブラインド。
【請求項４】
制動体は走行ローラを設けると共に上記走行ローラを介して支持枠内を移動可能であり、操作体はローラを設けると共に上記ローラを介して一方の透明板上を移動可能であることを特徴とする請求項１乃至請求項３のいずれかに記載のブラインド。
【請求項５】
制動体及び操作体は一方の透明板の片側に配置されており、上記制動体は制動ローラを設けてあり、上記第１及び第２の昇降紐は上記制動ローラに掛け回されて、紐端部が止め部材に固着されており、角度調整制動ローラの下方に下側ローラを設けてあり、角度調整制動紐は下方に延伸して上記下側ローラに掛け回され、かつ上記下側ローラと上記角度調整制動ローラとの間で無端状になっており、上記制動体は角度調整制動紐に介設されていることを特徴とする請求項１乃至請求項４のいずれかに記載のブラインド。
【請求項６】
制動体及び操作体は一方の透明板の片側に配置されており、上記制動体は第１及び第２の昇降紐を制御するための昇降制動体と角度調整制動紐を制御するための角度調整制動体とからなり、上記操作体は上記昇降制動体と互いに磁気力により吸引し合っている昇降操作体と、上記角度調整制動体と互いに磁気力により吸引し合っている角度調整操作体とからなり、対となっている上記昇降制動体及び上記昇降操作体と、対となっている上記角度制動体及び上記角度調整操作体とはいずれか一方が上側に、他方が下側にそれぞれ配置されており、上記昇降制動体は制動ローラを設けてあり、上記第１及び第２の昇降紐は上記制動ローラに掛け回されて、紐端部が止め部材に固着されており、角度調整制動ローラの下方に下側ローラを設けてあり、角度調整制動紐は下方に延伸して上記下側ローラに掛け回され、かつ上記下側ローラと上記角度調整制動ローラとの間で無端状になっており、上記角度調整制動体は角度調整制動紐に介設されていることを特徴とする請求項１乃至請求項４のいずれかに記載のブラインド。
【請求項７】
支持枠、この支持枠内に配置してある複数のブレードで構成されているブラインド本体、上記ブレードの昇降機構、上記ブレードの角度調整機構並びに上記昇降機構及び角度調整機構を操作するための制動体及び操作体を備えており、
上記支持枠は本体が左右の縦枠と上下の横枠とを組合せた四角形状のフレームであって、正面及び背面の両側から透明板によって挟持されており、
上記昇降機構は、上記ブレードを昇降するための第１及び第２の昇降紐、上記ブラインド本体の上側にかつ間隔を置いて配置されている第１、第２、第３のローラ枠及び第４のローラ枠並びに上記第１、第２、第３及び第４のローラ枠の内底部にそれぞれ取り付けてある第１、第２、第３及び第４の昇降伝動ローラを備えており、
上記角度調整機構は、回転軸、上記回転軸に固定してある第１及び第２の角度調整伝動ローラ並びに第１及び第２の角度調整制動ローラ、上記第１及び第２の角度調整伝動ローラに掛け回されかつ上記各ブレードの角度を調整するための第１及び第２の角度調整紐並びに上記第１の角度調整制動ローラに掛け回され、かつ上記第２の角度調整制動ローラに掛け回し可能である角度調整制動紐を備えており、
上記制動体は、上記第１及び第２の昇降紐を制御するための昇降制動体と、上記角度調整制動紐を制御するための角度調整制動体とからなり、上記昇降制動体と角度調整制動体とはいずれもマグネットを設け、上記支持枠内を上下動可能であると共に、この上下動を通じて上記第１及び第２の昇降紐並びに上記角度調整制動紐を制御可能であり、
上記操作体は、上記昇降制動体及び角度調整制動体のそれぞれと対になっている昇降操作体及び角度調整操作体からなり、上記昇降操作体と角度調整操作体とはいずれもマグネットを収納すると共に、一方の上記透明板上を上下動可能であり、
互いに対向している上記昇降制動体と上記昇降操作体、互いに対向している上記角度調整制動体と角度調整操作体は、いずれも上記マグネットの磁気力により互いに吸引し合って、一体の関係にあり、
上記第１及び第２のローラ枠は、第３のローラ枠と第４のローラ枠との間に配置されかつ上記第１のローラ枠には第４のローラ枠が、上記第２のローラ枠には第３のローラ枠がそれぞれ隣接され、上記第１、第２、第３及び第４のローラ枠のうち、第１及び第２のローラ枠は各底部に上記ブラインド本体側から延伸されている上記第１及び第２の昇降紐を各ローラ枠内部に導くガイド孔を設けると共に、それぞれの両側部に上記第１及び第２の昇降紐が通過可能である通孔を設け、上記第３のローラ枠は底部に上記第１及び第２の昇降紐を下方に導くガイド孔を設けると共に、上記第２のローラ枠側に面している一方の側部に上記第１及び第２の昇降紐が通過可能である通孔を設け、上記第４のローラ枠は底部にガイド孔を設けると共に、上記第１のローラ枠側に面している一方の側部に上記第１及び第２の昇降紐が通過可能である通孔を設けてあり、
上記回転軸は上側の上記横枠に沿って上記第１、第２、第３及び第４のローラ枠を貫通しており、
上記第１及び第２の角度調整伝動ローラは上記第１及び第２のローラ枠の内部に配置され、上記第１の角度調整制動ローラは上記第４のローラ枠の内部に、上記第２の角度調整制動ローラは上記第３のローラ枠の内部にそれぞれ配置され、上記第１及び第２の角度調整伝動ローラが上記第１及び第２の昇降伝動ローラの上方にそれぞれ設けられ、上記第１の角度調整制動ローラが上記第４の昇降伝動ローラの上方に、上記第２の角度調整制動ローラが上記第３の昇降伝動ローラの上方にそれぞれ設けられており、
上記第１及び第２の昇降紐は、上記ブラインド本体から第１及び第２のローラ枠内へガイド孔を通じて導かれており、上記第１の昇降紐が第１の昇降伝動ローラから第１のローラ枠の通孔を通過し、上記第２のローラ枠の通孔を貫通し、上記第３のローラ枠の通孔を通って、上記第３の昇降伝動ローラを経てガイド孔を通って下方に位置している上記昇降制動体に導かれ、上記第２の昇降紐が第２の昇降伝動ローラから第２のローラ枠の通孔を通過し、上記第３のローラ枠の通孔を貫通し、上記第３の昇降伝動ローラを経てガイド孔を通って下方に位置している上記昇降制動体に導かれており、
上記第４のローラ枠内の上記第４の昇降伝動ローラは上記第１及び第２の昇降紐をガイド孔に向けて、上記ガイド孔は上記第１及び第２の昇降紐を下方に向けてそれぞれ導き可能であり、
上記第１及び第２の角度調整紐はいずれも対の紐部からなり、両紐部が上記各ブレードの幅方向の両側を挟むように配置され、上記ブラインド本体から第１及び第２のローラ枠内へガイド孔を通じて導かれ、第１及び第２の角度調整伝動ローラにそれぞれ掛け回されており、
上記角度調整制動紐は上記第１の角度調整制動ローラに掛け回され、上記第４のローラ枠のガイド孔を通って上記角度調整制動体に導かれており、
上記第３のローラ枠のガイド孔は上記角度調整制動紐を下方に導き可能であり、
上記ブラインド本体における第１及び第２の各昇降紐は、それぞれが対応している上記第１及び第２の角度調整紐における両紐部間に位置している
ことを特徴とするブラインド。
【請求項８】
第３及び第４のローラ枠の各ガイド孔内は第１及び第２の昇降紐が通過可能のガイド通路と、角度調整制動紐が通過可能のガイド通路とに仕切りによって仕切られていることを特徴とする請求項７記載のブラインド。
【請求項９】
第３及び第４のローラ枠における各ガイド孔内は、第１、第２、第３及び第４のガイド通路からなる４つのガイド通路に仕切られており、第１の昇降紐は第２のガイド通路を通過可能であり、第２の昇降紐は第１のガイド通路を通過可能であり、角度調整制動紐の一方の紐部が第３のガイド通路を、他方の紐部が第４のガイド通路をそれぞれ通過可能であることを特徴とする請求項７記載のブラインド。
【請求項１０】
第１及び第２のローラ枠の両側部に設けてある各通孔は第１の昇降紐が通過可能である通孔と、第２の昇降紐が通過可能である通孔とからなり、第３のローラ枠の一方の側部に設けてある通孔は第１の昇降紐が通過可能である通孔と、第２の昇降紐が通過可能である通孔とからなり、上記第４のローラ枠の一方の側部に設けてある通孔は第１の昇降紐が通過可能である通孔と、第２の昇降紐が通過可能である通孔とからなり、上記第１の昇降紐が通過可能である第１、第２、第３及び第４のローラ枠の各通孔は同一直線上に配置され、上記第２の昇降紐が通過可能である第１、第２、第３及び第４のローラ枠の各通孔は同一直線上に配置されていることを特徴とする請求項７乃至請求項９記載のいずれかに記載のブラインド。
【請求項１１】
昇降制動体及び角度調整制動体はいずれも走行ローラを設けると共に上記走行ローラを介して支持枠内を移動可能であり、昇降操作体及び角度調整操作体はいずれもローラを設けると共に上記ローラを介して一方の透明板上を移動可能であることを特徴とする請求項７乃至請求項１０記載のいずれかに記載のブラインド。
【手続補正２】
【補正対象書類名】明細書
【補正対象項目名】０００４
【補正方法】変更
【補正の内容】
【０００４】
この発明の第１の特徴は、支持枠、この支持枠内に配置してある複数のブレードで構成されているブラインド本体、上記ブレードの昇降機構、上記ブレードの角度調整機構並びに上記昇降機構及び角度調整機構を操作するための制動体及び操作体を備えており、上記支持枠は本体が左右の縦枠と上下の横枠とを組合せた四角形状のフレームであって、正面及び背面の両側から透明板によって挟持されており、上記昇降機構は上記ブレードを昇降するための第１及び第２の昇降紐、上記ブラインド本体の上側にかつ間隔を置いて配置されている第１、第２及び第３のローラ枠並びに上記第１、第２及び第３のローラ枠の内底部にそれぞれ取り付けてある第１、第２及び第３の昇降伝動ローラを備えており、上記角度調整機構は回転軸、上記回転軸に固定してある第１及び第２の角度調整伝動ローラ並びに角度調整制動ローラ、上記第１及び第２の角度調整伝動ローラに掛け回されかつ上記各ブレードの角度を調整するための第１及び第２の角度調整紐並びに上記角度調整制動ローラに掛け回されている角度調整制動紐を備えており、上記制動体はマグネットを設けてあって、上記支持枠内を上下動可能であると共に、この上下動を通じて上記第１及び第２の昇降紐並びに角度調整制動紐を制御可能であり、上記操作体はマグネットを設けていると共に、一方の上記透明板上を上下動可能であり、上記制動体と互いに磁気力により吸引し合って、一体の関係にあり、上記第１、第２及び第３のローラ枠のうち、第１及び第２のローラ枠は各底部に上記ブラインド本体側から延伸されている上記第１及び第２の昇降紐をローラ枠内部に導くガイド孔を設け、上記第１のローラ枠の側部に上記第１の昇降紐が通過する通孔を設け、上記第２のローラ枠の側部であって上記第１のローラ枠側に面している一方の側部に上記第１の昇降紐が通過する通孔を設けると共に、他方の側部に上記第１及び第２の昇降紐が通過する通孔を設け、上記第３のローラ枠は底部に上記第１及び第２の昇降紐並びに角度調整制動紐を下方に導くための複数のガイド通路を有するガイド孔を設け、上記第３のローラ枠の側部であって上記第２のローラ枠側に面している一方の側部に上記第１及び第２の昇降紐が通過する通孔を設けてあり、上記回転軸は上側の上記横枠に沿って上記第１、第２及び第３のローラ枠を貫通しており、上記第１及び第２の角度調整伝動ローラ並びに角度調整制動ローラは、上記第１、第２及び第３のローラ枠の内部に配置されていると共に、上記第１の角度調整伝動ローラが上記第１の昇降伝動ローラの上方に、上記第２の角度調整伝動ローラが上記第２の昇降伝動ローラの上方に、上記角度調整制動ローラが上記第３の昇降伝動ローラの上方にそれぞれ設けられており、上記第１及び第２の昇降紐は、上記ブラインド本体から第１及び第２のローラ枠内へガイド孔を通じて導かれており、上記第１の昇降紐が第１の昇降伝動ローラから第１のローラ枠の通孔を通過し、上記第２のローラ枠の通孔を通って、上記第３のローラ枠の通孔を貫通し、上記第３の昇降伝動ローラを経てガイド孔のガイド通路を通って下方に位置している上記制動体に導かれ、上記第２の昇降紐が第２の昇降伝動ローラから第２のローラ枠の通孔を通過し、上記第３のローラ枠の通孔を貫通し、上記第３の昇降伝動ローラを経てガイド孔のガイド通路を通って下方に位置している上記制動体に導かれており、上記第１及び第２の角度調整紐はいずれも対の紐部からなり、両紐部が上記各ブレードの幅方向の両側を挟むように配置され、上記ブラインド本体から第１及び第２のローラ枠内へガイド孔を通じて導かれ、第１及び第２の角度調整伝動ローラにそれぞれ掛け回されており、上記角度調整制動紐は上記第３のローラ枠のガイド孔のガイド通路を通って上記制動体に導かれており、上記第３のローラ枠のガイド孔内は、仕切りによって上記第１及び第２の昇降紐が通るガイド通路と、上記角度調整制動紐が通るガイド通路とに仕切られており、上記ブラインド本体における第１及び第２の各昇降紐は、それぞれが対応している上記第１及び第２の角度調整紐における両紐部間に位置していることにある。
この発明の第２の特徴は、上記第１の特徴を備えていると共に、第３のローラ枠における複数のガイド通路は第１、第２、第３及び第４のガイド通路からなり、第１の昇降紐は第２のガイド通路を通過可能であり、第２の昇降紐は第１のガイド通路を通過可能であり、角度調整制動紐の一方の紐部が第３のガイド通路を、他方の紐部が第４のガイド通路をそれぞれ通過可能であることにある。
この発明の第３の特徴は、上記第１又は第２の特徴を備えていると共に、第２のローラ枠の他方の側部に設けてある通孔は第１の昇降紐が通過する通孔と、第２の昇降紐が通過する通孔とからなり、第３のローラ枠の一方の側部に設けてある通孔は第１の昇降紐が通過する通孔と、第２の昇降紐が通過する通孔とからなり、上記第１の昇降紐が通過する第１、第２及び第３のローラ枠の各通孔は同一直線上に配置され、上記第２の昇降紐が通過する第２及び第３のローラ枠の各通孔は同一直線上に配置されていることにある。
この発明の第４の特徴は、上記第１乃至第３のいずれかの特徴を備えていると共に、制動体は走行ローラを設けると共に上記走行ローラを介して支持枠内を移動可能であり、操作体はローラを設けると共に上記ローラを介して一方の透明板上を移動可能であることにある。
この発明の第５の特徴は、上記第１乃至第４のいずれかの特徴を備えていると共に、制動体及び操作体は一方の透明板の片側に配置されており、上記制動体は制動ローラを設けてあり、上記第１及び第２の昇降紐は上記制動ローラに掛け回されて、紐端部が止め部材に固着されており、角度調整制動ローラの下方に下側ローラを設けてあり、角度調整制動紐は下方に延伸して上記下側ローラに掛け回され、かつ上記下側ローラと上記角度調整制動ローラとの間で無端状になっており、上記制動体は角度調整制動紐に介設されていることにある。
この発明の第６の特徴は、上記第１乃至第４のいずれかの特徴を備えていると共に、制動体及び操作体は一方の透明板の片側に配置されており、上記制動体は第１及び第２の昇降紐を制御するための昇降制動体と角度調整制動紐を制御するための角度調整制動体とからなり、上記操作体は上記昇降制動体と互いに磁気力により吸引し合っている昇降操作体と、上記角度調整制動体と互いに磁気力により吸引し合っている角度調整操作体とからなり、対となっている上記昇降制動体及び上記昇降操作体と、対となっている上記角度制動体及び上記角度調整操作体とはいずれか一方が上側に、他方が下側にそれぞれ配置されており、上記昇降制動体は制動ローラを設けてあり、上記第１及び第２の昇降紐は上記制動ローラに掛け回されて、紐端部が止め部材に固着されており、角度調整制動ローラの下方に下側ローラを設けてあり、角度調整制動紐は下方に延伸して上記下側ローラに掛け回され、かつ上記下側ローラと上記角度調整制動ローラとの間で無端状になっており、上記角度調整制動体は角度調整制動紐に介設されていることにある。
この発明の第７の特徴は、支持枠、この支持枠内に配置してある複数のブレードで構成されているブラインド本体、上記ブレードの昇降機構、上記ブレードの角度調整機構並びに上記昇降機構及び角度調整機構を操作するための制動体及び操作体を備えており、上記支持枠は本体が左右の縦枠と上下の横枠とを組合せた四角形状のフレームであって、正面及び背面の両側から透明板によって挟持されており、上記昇降機構は、上記ブレードを昇降するための第１及び第２の昇降紐、上記ブラインド本体の上側にかつ間隔を置いて配置されている第１、第２、第３のローラ枠及び第４のローラ枠並びに上記第１、第２、第３及び第４のローラ枠の内底部にそれぞれ取り付けてある第１、第２、第３及び第４の昇降伝動ローラを備えており、上記角度調整機構は、回転軸、上記回転軸に固定してある第１及び第２の角度調整伝動ローラ並びに第１及び第２の角度調整制動ローラ、上記第１及び第２の角度調整伝動ローラに掛け回されかつ上記各ブレードの角度を調整するための第１及び第２の角度調整紐並びに上記第１の角度調整制動ローラに掛け回され、かつ上記第２の角度調整制動ローラに掛け回し可能である角度調整制動紐を備えており、上記制動体は、上記第１及び第２の昇降紐を制御するための昇降制動体と、上記角度調整制動紐を制御するための角度調整制動体とからなり、上記昇降制動体と角度調整制動体とはいずれもマグネットを設け、上記支持枠内を上下動可能であると共に、この上下動を通じて上記第１及び第２の昇降紐並びに上記角度調整制動紐を制御可能であり、上記操作体は、上記昇降制動体及び角度調整制動体のそれぞれと対になっている昇降操作体及び角度調整操作体からなり、上記昇降操作体と角度調整操作体とはいずれもマグネットを収納すると共に、一方の上記透明板上を上下動可能であり、互いに対向している上記昇降制動体と上記昇降操作体、互いに対向している上記角度調整制動体と角度調整操作体は、いずれも上記マグネットの磁気力により互いに吸引し合って、一体の関係にあり、上記第１及び第２のローラ枠は、第３のローラ枠と第４のローラ枠との間に配置されかつ上記第１のローラ枠には第４のローラ枠が、上記第２のローラ枠には第３のローラ枠がそれぞれ隣接され、上記第１、第２、第３及び第４のローラ枠のうち、第１及び第２のローラ枠は各底部に上記ブラインド本体側から延伸されている上記第１及び第２の昇降紐を各ローラ枠内部に導くガイド孔を設けると共に、それぞれの両側部に上記第１及び第２の昇降紐が通過可能である通孔を設け、上記第３のローラ枠は底部に上記第１及び第２の昇降紐を下方に導くガイド孔を設けると共に、上記第２のローラ枠側に面している一方の側部に上記第１及び第２の昇降紐が通過可能である通孔を設け、上記第４のローラ枠は底部にガイド孔を設けると共に、上記第１のローラ枠側に面している一方の側部に上記第１及び第２の昇降紐が通過可能である通孔を設けてあり、上記回転軸は上側の上記横枠に沿って上記第１、第２、第３及び第４のローラ枠を貫通しており、上記第１及び第２の角度調整伝動ローラは上記第１及び第２のローラ枠の内部に配置され、上記第１の角度調整制動ローラは上記第４のローラ枠の内部に、上記第２の角度調整制動ローラは上記第３のローラ枠の内部にそれぞれ配置され、上記第１及び第２の角度調整伝動ローラが上記第１及び第２の昇降伝動ローラの上方にそれぞれ設けられ、上記第１の角度調整制動ローラが上記第４の昇降伝動ローラの上方に、上記第２の角度調整制動ローラが上記第３の昇降伝動ローラの上方にそれぞれ設けられており、上記第１及び第２の昇降紐は、上記ブラインド本体から第１及び第２のローラ枠内へガイド孔を通じて導かれており、上記第１の昇降紐が第１の昇降伝動ローラから第１のローラ枠の通孔を通過し、上記第２のローラ枠の通孔を貫通し、上記第３のローラ枠の通孔を通って、上記第３の昇降伝動ローラを経てガイド孔を通って下方に位置している上記昇降制動体に導かれ、上記第２の昇降紐が第２の昇降伝動ローラから第２のローラ枠の通孔を通過し、上記第３のローラ枠の通孔を貫通し、上記第３の昇降伝動ローラを経てガイド孔を通って下方に位置している上記昇降制動体に導かれており、上記第４のローラ枠内の上記第４の昇降伝動ローラは上記第１及び第２の昇降紐をガイド孔に向けて、上記ガイド孔は上記第１及び第２の昇降紐を下方に向けてそれぞれ導き可能であり、上記第１及び第２の角度調整紐はいずれも対の紐部からなり、両紐部が上記各ブレードの幅方向の両側を挟むように配置され、上記ブラインド本体から第１及び第２のローラ枠内へガイド孔を通じて導かれ、第１及び第２の角度調整伝動ローラにそれぞれ掛け回されており、上記角度調整制動紐は上記第１の角度調整制動ローラに掛け回され、上記第４のローラ枠のガイド孔を通って上記角度調整制動体に導かれており、上記第３のローラ枠のガイド孔は上記角度調整制動紐を下方に導き可能であり、上記ブラインド本体における第１及び第２の各昇降紐は、それぞれが対応している上記第１及び第２の角度調整紐における両紐部間に位置していることにある。
この発明の第８の特徴は、上記第７の特徴を備えていると共に、第３及び第４のローラ枠の各ガイド孔内は第１及び第２の昇降紐が通過可能のガイド通路と、角度調整制動紐が通過可能のガイド通路とに仕切りによって仕切られていることにある。
この発明の第９の特徴は、上記第７の特徴を備えていると共に、第３及び第４のローラ枠における各ガイド孔内は、第１、第２、第３及び第４のガイド通路からなる４つのガイド通路に仕切られており、第１の昇降紐は第２のガイド通路を通過可能であり、第２の昇降紐は第１のガイド通路を通過可能であり、角度調整制動紐の一方の紐部が第３のガイド通路を、他方の紐部が第４のガイド通路をそれぞれ通過可能であることにある。
この発明の第１０の特徴は、上記第７乃至第９のいずれかの特徴を備えていると共に、第１及び第２のローラ枠の両側部に設けてある各通孔は第１の昇降紐が通過可能である通孔と、第２の昇降紐が通過可能である通孔とからなり、第３のローラ枠の一方の側部に設けてある通孔は第１の昇降紐が通過可能である通孔と、第２の昇降紐が通過可能である通孔とからなり、上記第４のローラ枠の一方の側部に設けてある通孔は第１の昇降紐が通過可能である通孔と、第２の昇降紐が通過可能である通孔とからなり、上記第１の昇降紐が通過可能である第１、第２、第３及び第４のローラ枠の各通孔は同一直線上に配置され、上記第２の昇降紐が通過可能である第１、第２、第３及び第４のローラ枠の各通孔は同一直線上に配置されていることにある。
この発明の第１１の特徴は、上記第７乃至第１０のいずれかの特徴を備えていると共に、昇降制動体及び角度調整制動体はいずれも走行ローラを設けると共に上記走行ローラを介して支持枠内を移動可能であり、昇降操作体及び角度調整操作体はいずれもローラを設けると共に上記ローラを介して一方の透明板上を移動可能であることにある。
【手続補正３】
【補正対象書類名】明細書
【補正対象項目名】００４３
【補正方法】変更
【補正の内容】
【００４３】
１，１Ａ，１Ｂ                ブラインド
２，２Ａ                      支持枠
２ａ，２ｂ                    縦枠
２ｃ，２ｄ 横枠
３                            ガラス板（透明板）
４                            封止部材
５                            ブラインド本体
５ａ                          ブレード
６，６Ａ，６Ｂ                昇降機構
７，７Ａ，７Ｂ                角度調整機構
８                            制動体
８Ａ１，８Ｂ１                昇降制動体（制動体）
８Ａ２，８Ｂ２                角度調整制動体（制動体）
９                            操作体
９Ａ１，９Ｂ１                昇降操作体（操作体）
９Ａ２，９Ｂ２                角度調整操作体（操作体）
１３                          第１の昇降紐
１４                          第２の昇降紐
１５                          第１の昇降伝動ローラ
１６                          第２の昇降伝動ローラ
１７                          第３の昇降伝動ローラ
１７Ａ 第４の昇降伝動ローラ
１８                          制動ローラ
１９                          止め部材
２０，２０Ａ，２０Ｂ          マグネット
２１，２１Ａ，２１Ｂ          マグネット
２２，２２Ａ                  回転軸
２３                          第１の角度調整伝動ローラ
２４                          第２の角度調整伝動ローラ
２５                          角度調整制動ローラ
２５Ａ１                      第１の角度調整制動ローラ
２５Ａ２ 第２の角度調整制動ローラ
２６                          第１の角度調整紐
２６ａ，２６ｂ 紐部
２７                          第２の角度調整紐
２７ａ，２７ｂ 紐部
２８，２８Ａ，２８Ｂ          角度調整制動紐
２９，２９Ａ，２９Ｂ          下側ローラ
３０ 第１のローラ枠
３０ａ１〜３０ａ４ 通孔
３０ｂ ガイド孔（ガイド筒）
３１ 第２のローラ枠
３１ａ１〜３１ａ４ 通孔
３１ｂ ガイド孔（ガイド筒）
３２ 第３のローラ枠
３２ａ１，３２ａ２ 通孔
３２ｂ ガイド孔（ガイド筒）
３２Ａ 第４のローラ枠
３２Ａａ３，３２Ａａ４ 通孔
３２ｄ，３２Ａｄ 仕切り
３２ｅ１，３２Ａｅ１ 第１の通路
３２ｅ２，３２Ａｅ２ 第２の通路
３２ｅ３，３２Ａｅ３ 第３の通路
３２ｅ４，３２Ａｅ４ 第４の通路
Ｄ                            ドア